(57)【特許請求の範囲】
【請求項１】
人が着用した着物の上から穿いて、着用した着物の腰から下部分を保護する着物用の保護袴であって、
使用者の腰から各足首までの左右両側半分をそれぞれ覆うことになる左右の基布と、これら両基布の内端部にそれぞれ形成した襞部と、これらの襞部の内側端縁にてそれぞれ縫着されて、前記着物の裾下にて前後に広がる開放布と、この開放布の、使用者が着用した前記着物の裾より下になる位置に形成される二つ折り部分とを有して、
使用時に、前記着物の着用者が足を開いたときであっても、着物の裾下にある前記開放布が二つ折り部分で前後に広がって形成される空間内に、使用者が着用している前記着物の一部が入ることにより、着用した着物の腰から下部分を保護するようにしたことを特徴とする着物用の保護袴。
【発明の詳細な説明】
【技術分野】
【０００１】
本発明は、着用した着物の上から穿いて使用する袴に関し、主として、着用した着物が汚れるのを防止する保護袴に関するものである。
【背景技術】
【０００２】
例えば、着物を着て、雨が降っている中を外出する場合に、着物が濡れて汚れることを防止しなければならない。その場合、通常ならば傘を差すのであるが、差した傘は着物の上部は保護してくれるが、例えば傘下に吹き込む雨に対しては効果は薄く、着物の下部は濡れてしまうことが多い。
【０００３】
そうであれば、レインコートのような雨具を着用すれば良いようであるが、着物にレインコートでは何かチグハグしてみっともない姿になってしまう。それだけでなく、レインコートの下方は完全に開放されているため、着物の「着崩れ」を防止することはできない。
【０００４】
このような実状に鑑みて、本発明者は、上述したような状況の中でも着用した着物の保護を効果的に行える技術がないかを調査・検討してみたが、何も見つからず、特許文献１に示された程度の技術しかなかった。
【先行技術文献】
【特許文献】
【０００５】
【特許文献１】特開２００１−３５５１０６号公報、要約、図３、段落００１５
【発明の概要】
【発明が解決しようとする課題】
【０００６】
特許文献１には、「一人で早く巧く着用でき、着崩れもせず、着姿も美しく見せることができる女性用袴式和服を提供すること」を目的とした「女性用袴式和服」が提案されている。
【０００７】
この特許文献１の「女性用袴式和服」では、図６に示すような「袴２」が採用されているものであるが、この「袴２」は、当該特許文献１の段落００１５に記載されているように、
「袴２は、前後の身頃生地の側部に縦方向全長に亘る切開部２ａ、２ｂを設け、該切開部２ａの両側内縁に縦方向全長に亘るオープンスライドファスナー２ｃ、２ｄを取付け、前後の身頃生地の上端の腰部内側にゴム帯紐からなる伸縮帯紐２ｅを取付け、該伸縮帯紐２ｅの両端にホックとホック掛けとからなる係止具２ｆ、２ｇを取付け、後身頃生地の上端の腰部外側に帯紐２ｈの中央部を面ファスナー２ｉ等で固着し、後身頃生地の上端内側に前記着物１の背中央の袴固定具１ｈへの係止具２ｊを設け、前身頃生地の上端外側に袴下帯３への係止具２ｋを設けた」
ものである。
【０００８】
このため、特許文献１の「女性用袴式和服」では、「袴２の後身頃生地の上端の腰部外側に帯紐２ｈの中央部を固着し、後身頃生地の上端内側に前記着物１の背中央の袴固定具１ｈへの係止具２ｊを設け、前身頃生地の上端外側に袴下帯への係止具２ｋを設け」たので、「着物１に対する袴２の正しい着用位置を一義的に決定させ、簡単にしかも素早く着用でき、着崩れも防止できる」と考えられるのであるが、着用した着物を雨などから保護することはできないと考えられる。
【０００９】
そこで、本発明者は、着物の上から簡単に着用することができて、着物そのものの保護を確実に行えるような何かを提案するにはどうしたらよいか、について種々検討を重ねてきた結果、本発明を完成したのである。
【００１０】
すなわち、本発明の目的とするところは、着物の上から簡単に着用することができて、着物の保護が行え、しかも着用者の動きに制限を与えることがなくて着崩れも防止できる着物用の保護袴を、簡単な構成によって提供することにある。
【課題を解決するための手段】
【００１１】
以上の課題を解決するために、本発明の採った手段は、後述する実施形態の説明中で使用する符号を付して説明すると、
「人が着用した着物２０の上から穿いて、着用した着物２０の腰から下部分を保護する着物用の保護袴１０であって、
使用者の腰から各足首までの左右両側半分をそれぞれ覆うことになる左右の基布１１、１１と、これら両基布１１の内端部にそれぞれ形成した襞部１２と、これらの襞部１２の内側端縁にてそれぞれ縫着されて、着物２０の裾２１下にて前後に広がる開放布１３と、この開放布１３の、使用者が着用した着物２０の裾２１より下になる位置に形成される二つ折り部分１３ａとを有して、
使用時に、着物２０の着用者が足を開いたときであっても、着物２０の裾２１下にある開放布１３が二つ折り部分１３ａで前後に広がって形成される空間内に、使用者が着用している着物２０の一部が入ることにより、着用した着物２０の腰から下部分を保護するようにしたことを特徴とする着物用の保護袴１０」
である。
【００１２】
本発明に係る保護袴１０によれば、図１、図３及び図４に示すように、左右の袴基布１１、１１が、着用者の腰から各足首までの左右両側半分、つまり着用した着物２０の下部の左右両側半分をそれぞれ覆うことになるから、当該保護袴１０を着物２０の上から穿いたとき、着用した着物２０の下側半分を包み込むことになるものである。このため、この保護袴１０は、図３にも示すように、着用した着物２０の下部の保護が行えるものである。
【００１３】
また、この保護袴１０は、文字通り、「袴」のように着用するものであり、その基布１１を始め、他の構成部品も後述するように「布」であるから、レインコートを着用するのに比較すれば、着用している着物２０との違和感は全く無い。勿論、この保護袴１０は、その大部分が基布１１によって構成されているものであるから、茶席等に到着した後に全体を小さく折り畳むことができるのであり、殆ど邪魔になることはない。
【００１４】
さて、この保護袴１０は、その各基布１１の間に開放布１３を逢着し、これらの開放布１３と基布１１との間に図２に示すような襞部１２を形成したものであるから、図５に示すように、使用者が足を開いたとき、各襞部１２及び開放布１３も広がる。勿論、この場合であっても、着物２０の下部は、当該保護袴１０によって包まれたまま、つまり保護されたままである。
【００１５】
この使用者が足を開いたとき、図５中の点線にて示すように、開放布１３の二つ折り部分１３ａが着物２０の裾２１より下側に位置する。換言すれば、この保護袴１０は、開放布１３の二つ折り部分１３ａが、着用者の足首近くに位置するものとなっていて、その所謂「股下深さ」を非常に大きくしたものなのである。このため、使用者が足を開いたときには、着物２０の裾２１も広がることにはなるが、着物２０の下部全体が保護袴１０によって包み込まれているのであるから、着物２０は最小限の開きしかしないことになり、着物２０の「着崩れ」は、殆ど発生しないのである。つまり、この保護袴１０は、使用時に、着物２０の裾２１下にある開放布１３が二つ折り部分１３ａで前後に広がって空間を形成するから、この空間内に使用者が着用している着物２０の一部が入ることにより、着用した着物２０を保護することになる。
【００１６】
この保護袴１０が、図５に示すような着物２０の着用者の「足開き」も可能にするものであることは、極端な場合、着物２０及びその上からの保護袴１０を着用した人が、「自転車」に乗って目的地に向かうことを、着物２０の保護を行いながら可能にするものである。しかも、この保護袴１０は、着用者が目的地に着いたとき、自転車に乗ってきたにも拘わらず、着物２０の「着崩れ」を殆ど発生させないのである。つまり、使用時に、着物２０の着用者が足を開いたときであっても、着物２０の裾２１下にある開放布１３が二つ折り部分１３ａで前後に広がって形成される空間内に、使用者が着用している着物２０の一部が入ることにより、着用した着物２０の腰から下部分が保護されるのである。
【００１７】
従って、本発明に係る保護袴１０は、着物２０の上から簡単に着用することができて、着物２０の保護が行え、しかも着用者の動きに制限を与えることがなくて着崩れも防止できるものとなっているのである。
【発明の効果】
【００１８】
以上、説明した通り、本発明は、
「人が着用した着物２０の上から穿いて、着用した着物２０の腰から下部分を保護する着物用の保護袴１０であって、
使用者の腰から各足首までの左右両側半分をそれぞれ覆うことになる左右の基布１１、１１と、これら両基布１１の内端部にそれぞれ形成した襞部１２と、これらの襞部１２の内側端縁にてそれぞれ縫着されて、着物２０の裾２１下にて前後に広がる開放布１３と、この開放布１３の、使用者が着用した着物２０の裾２１より下になる位置に形成される二つ折り部分１３ａとを有して、
使用時に、着物２０の着用者が足を開いたときであっても、着物２０の裾２１下にある開放布１３が二つ折り部分１３ａで前後に広がって形成される空間内に、使用者が着用している着物２０の一部が入ることにより、着用した着物２０の腰から下部分を保護するようにしたこと」
にその構成上の特徴があり、これにより、着物２０の上から簡単に着用することができて、着物２０の保護が行え、しかも着用者の動きに制限を与えることがなくて着崩れも防止できる着物用の保護袴１０を、簡単な構成によって提供することができるのである。
【図面の簡単な説明】
【００１９】
【図１】本発明に係る保護袴１０を示すもので、（ａ）は正面図、（ｂ）は（ａ）中の１−１線に沿って見た横断面図である。
【図２】同保護袴１０の、各襞部１２を広げた状態の正面図である。
【図３】同保護袴１０の、これを着物２０の上から着用した場合の正面図である。
【図４】着物２０の上から着用した保護袴１０の背面図である。
【図５】着物２０の着用者が足を開いたときの保護袴１０の正面図である。
【図６】特許文献１に示された袴を展開して示すもので、（Ａ）は正面図、（保護袴１０）は背面図である。
【発明を実施するための形態】
【００２０】
以上のように構成した本発明を、図面に示した実施の形態である保護袴１０について説明すると、図１には、本発明に係る保護袴１０を、人が着用していない状態の正面図が示してある。この保護袴１０は、主として、着用者の腰から各足首までの左右両側半分をそれぞれ覆うことになる左右の袴基布１１、１１と、これら各基布１１の少なくとも前側の内端部に形成した襞部１２と、着物２０の裾２１下で二つ折り部分１３ａにて二つ折りされて、少なくとも前側の襞部１２の内側端縁にて縫着される開放布１３とを有しているものである。
【００２１】
各基布１１は、図２の（ｂ）にも示したように、着用者の下半身を左右から包み込めるようにしたものであり、各端部で二つ折りされるものである。また、これら各基布１１の前側の内端部には襞部１２が形成してあるが、この襞部１２は、図２の（ｂ）にも示したように、各基布１１の後ろ側の内端部にも形成して実施してもよい。
【００２２】
各襞部１２は、本実施形態に係る保護袴１０においては、一重だけ折れるようにしたものではあるが、これに限るものではなく、図３に示したような、足を揃えた状態で目立たないのであれば、何重にしてもよいものである。また、各襞部１２は、図４に示したような、足を広げた状態が形成できるのであれば、上述した通り、着用者の前側だけに形成するようにして実施しても良い。本実施形態では、図２の（ｂ）にも示したように、次に述べる開放布１３の端縁の各基布１１の内端部への逢着を当該各襞部１２を介して行うようにしているため、襞部１２は、当該保護袴１０の後ろ側にも形成してある。
【００２３】
開放布１３は、図２の（ｂ）に示したように、二つ折りされて、その端縁にて、各基布１１または襞部１２の内端部に逢着されるものである。この二つ折りされた開放布１３の二つ折り部分１３ａは、図２の（ａ）にも示したように、足首絞り１５の近傍であって、図５に示したように、使用者が着用した着物２０の裾２１より下になる位置に形成したものである。このような位置になる二つ折り部分１３ａによって、当該保護袴１０の股下深さは、非常に深いものとなっているのである。
【００２４】
なお、本実施形態の保護袴１０は、図１の（ａ）にも示したように、当該保護袴１０を固定するための腰紐１４を有しているものであり、図４に示したように、この腰紐１４を、着物２０の帯の上縁から少し下で結ぶことで、当該保護袴１０の固定を行えるようにしている。
【００２５】
また、本実施形態の保護袴１０では、各基布１１の下端部に足首絞り１５が形成してあり、当該保護袴１０の着用時に、各足首絞り１５内に足を入れることによって、当該足首絞り１５による足首部分での固定が行える。これら各足首絞り１５は、本実施形態に係る保護袴１０を着用して足を広げたとしても、図５に示したように、当該保護袴１０の各基布１１部分が上方にズレるのを防止しているのである。
【００２６】
なお、本実施形態に係る保護袴１０では、図示はしていないけれども、各基布１１の側線上部にファスナーが取り付けてあって、このファスナーを開くことにより、当該保護袴１０の上部を大きく開くことができるようにしてある。これにより、当該保護袴１０の着用や外しが簡単に行えるようにしてある。
【符号の説明】
【００２７】
１０    保護袴
１１    基布
１２    襞部
１３    開放布
１３ａ  二つ折り部分
１４    腰紐
１５    足首絞り
２０    着物
２１    裾
【図１】
0005462324.tif 000002
【図２】
0005462324.tif 000003
【図３】
0005462324.tif 000004
【図４】
0005462324.tif 000005
【図５】
0005462324.tif 000006
【図６】
0005462324.tif 000007